(57)【要約】      （修正有）【課題】平時と緊急の照明機能を兼ね備える照明灯を提供する。【解決手段】多機能緊急照明灯は、少なくとも１個のベース１０、少なくとも１個のＬＥＤ発光モジュール２０、少なくとも１個の緊急照明ＬＥＤ発光モジュール３０、電源制御回路、少なくとも１個のバックアップ電源装置を備える。ベース１０は散熱体で、ＬＥＤ発光モジュール２０と緊急照明ＬＥＤ発光モジュール３０、電源制御回路はベース１０に結合し、電源制御回路はＬＥＤ発光モジュール２０、緊急照明ＬＥＤ発光モジュール３０に連結し、交流市内電源を直流電源に転換してバックアップ電源装置に充電用に供給し、ＬＥＤ発光モジュール２０と緊急照明ＬＥＤ発光モジュール３０の発光に必要な電源を提供し、交流市内電源が供給を停止すると、バックアップ電源装置は電源制御回路を通して緊急照明ＬＥＤ発光モジュール３０に給電する。【選択図】図１
0003166836.tif 000002
【実用新案登録請求の範囲】
【請求項１】
少なくとも１個のベース、少なくとも１個のLED発光モジュール、少なくとも１個の緊急照明LED発光モジュール、少なくとも１個の電源制御回路、バックアップ電源装置を備え、
前記ベースは、内面に、複数の凹槽を形成し、
前記少なくとも１個のLED発光モジュールは、前記ベースの少なくとも１個の凹槽内に結合し、
前記少なくとも１個の緊急照明LED発光モジュールは、前記ベースの少なくとも１個の凹槽内に結合し、
前記少なくとも１個の電源制御回路は、前記ベース内に設置し、前記LED発光モジュール及び前記緊急照明LED発光モジュールの点灯/消灯制御、交流/直流電源転換、永久電源制御機能を提供し、前記LED発光モジュール、前記緊急照明LED発光モジュールを制御し、交流市内電源が正常の供給されている際には照明を提供し、交流市内電源が切断され、或いは停電時には、前記緊急照明LED発光モジュールを点灯させ緊急照明とし、
前記少なくとも１個のバックアップ電源装置は、前記ベース内に設置し、前記電源制御回路に連結し、前記電源制御回路が、前記緊急照明LED発光モジュールを緊急照明とする際に必要な直流電源を提供することを特徴とする多機能緊急照明灯。
【請求項２】
前記ベースは、散熱体であることを特徴とする請求項１に記載の多機能緊急照明灯。
【請求項３】
前記凹槽両端には、それぞれ複数のネジ孔を設置することを特徴とする請求項１に記載の多機能緊急照明灯。
【請求項４】
前記ベースには、市内電源コンセントを設置することを特徴とする請求項１に記載の多機能緊急照明灯。
【請求項５】
前記市内電源コンセントは、電源ケーブルを通して連結され、交流市内電源を引き込むことを特徴とする請求項３に記載の多機能緊急照明灯。
【請求項６】
前記LED発光モジュールは、シングルダイマルチチップ封入のLEDであることを特徴とする請求項１に記載の多機能緊急照明灯。
【請求項７】
前記LED発光モジュールは、少なくとも１個の回路基板、複数のシングルダイシングルチップ発光ダイオードを備え、
前記少なくとも１個の回路基板は、前記ベースの凹槽内に結合され、前記回路基板表面には、発光ダイオード電源連結配線を敷設し、
前記複数のシングルダイシングルチップ発光ダイオードの各シングルダイシングルチップ発光ダイオードは、前記回路基板の上にそれぞれ結合し、これにより前記各シングルダイシングルチップ発光ダイオードは、前記回路基板を通して、直流電源を受け取り点灯することを特徴とする請求項１に記載の多機能緊急照明灯。
【請求項８】
前記緊急照明LED発光モジュールは、シングルダイマルチチップ封入LEDチップであることを特徴とする請求項１に記載の多機能緊急照明灯。
【請求項９】
前記緊急照明LED発光モジュールは、少なくとも１個の回路基板、複数のシングルダイシングルチップ発光ダイオードを備え、
前記少なくとも１個の回路基板は、前記ベースの凹槽内に結合され、前記回路基板表面には、発光ダイオード電源連結配線を敷設し、
前記複数のシングルダイシングルチップ発光ダイオードの各シングルダイシングルチップ発光ダイオードは、前記回路基板の上にそれぞれ結合し、これにより前記各シングルダイシングルチップ発光ダイオードは、前記回路基板を通して、直流電源を受け取り点灯することを特徴とする請求項１に記載の多機能緊急照明灯。
【請求項１０】
前記電源制御回路は、少なくとも１個の警告表示信号装置に連結することを特徴とする請求項１に記載の多機能緊急照明灯。
【請求項１１】
前記警告表示信号装置は、少なくとも１個の消防警報システムに連結することを特徴とする請求項１０に記載の多機能緊急照明灯。
【請求項１２】
前記電源制御回路は、少なくとも１個の一酸化炭素探知制御回路に連結することを特徴とする請求項１に記載の多機能緊急照明灯。
【請求項１３】
前記一酸化炭素探知制御回路は、一酸化炭素検知器に連結し、外界環境中の一酸化炭素の濃度を探知し、一酸化炭素探知信号を発し、前記電源制御回路に送信し、
前記電源制御回路は、これを、緊急状態電源制御及び警報の依拠とすることを特徴とする請求項１２に記載の多機能緊急照明灯。
【請求項１４】
前記電源制御回路は、少なくとも１個のガス探知制御回路に連結することを特徴とする請求項１に記載の多機能緊急照明灯。
【請求項１５】
前記ガス探知制御回路は、ガス検知器に連結し、外界環境中のガスの濃度を探知し、ガス探知信号を発し、前記電源制御回路に送信し、
前記電源制御回路は、これを、緊急状態電源制御及び警報の依拠とすることを特徴とすることを特徴とする請求項１４に記載の多機能緊急照明灯。
【請求項１６】
前記電源制御回路は、少なくとも１個の煙探知制御回路に連結することを特徴とする請求項１に記載の多機能緊急照明灯。
【請求項１７】
前記煙探知制御回路は、煙検知器に連結し、外界環境中の煙の状態を探知し、煙探知信号を発し、前記電源制御回路に送信し、
前記電源制御回路は、これを、緊急状態電源制御及び警報の依拠とすることを特徴とする請求項１６に記載の多機能緊急照明灯。
【請求項１８】
前記電源制御回路は、少なくとも１個の警報装置に連結することを特徴とする請求項１に記載の多機能緊急照明灯。
【請求項１９】
前記警報装置は、ブザーであることを特徴とする請求項１８に記載の多機能緊急照明灯。
【請求項２０】
前記バックアップ電源装置は、充電電池であることを特徴とする請求項１に記載の多機能緊急照明灯。
【考案の詳細な説明】
【技術分野】
【０００１】
本考案は多機能緊急照明灯に関し、特に省エネランプに応用し、通常照明及び緊急照明灯として共用可能な多機能緊急照明灯に関する。
【背景技術】
【０００２】
従来の緊急照明灯は、緊急照明としての単一の場合に幅広く応用されている。
例えば、特許文献１に示す「出口標示灯と非難方向指示灯」は、単純な緊急照明と避難方向指示の機能を開示する。
【０００３】
上記した構造の発光ダイオード光源は、停電或いは災害発生時のみ、照明と指示機能を提供でき、平時に室内照明とすることはできない。
これでは、照明資源の浪費である。
しかも、緊急照明指示灯は、一般に出口位置に設置されるが、面積がより大きく、区画が複雑なオフィス、或いは広い売り場にとっては、災害の発生時に主照明の電源が切れた際、広い面積を効果的に網羅する緊急照明機能を提供することができない。
【０００４】
従来の蛍光灯、或いは交流電源ランプに改良を加え、平時と緊急時に両用できるランプを開発しようと考えても、蛍光灯、或いは交流電源ランプには、交流電源を使用しなければならないため、複雑で高価な交流永久パワーサプライシステムを新たに設計する必要がある。
すなわち、直接的で簡単、かつ廉価な直流バックアップ電源を使用することはできない。
例えば、直流電池により、ランプが必要とする緊急電力を提供するとすれば、従来の緊急照明灯は、緊急照明の狭小な応用範疇に制限され、産業上の利用可能性は限定されてしまう。
本考案は、従来の多機能緊急照明灯の上記した欠点に鑑みてなされたものである。
【先行技術文献】
【特許文献】
【０００５】
【特許文献１】台湾実用新案公報第４３３５０７明細書
【考案の概要】
【考案が解決しようとする課題】
【０００６】
本考案が解決しようとする課題は、従来の発光ダイオード緊急照明灯は、その照明光源が、緊急照明機能しか備えないため、照明資源を浪費することになっており、室内に効果的にかつ広い面積の緊急照明機能を提供することができず、産業上の利用可能性も限定されてしまっている点に鑑み、平時照明と緊急照明に両用でき、照明資源を有効に利用でき、室内に効果的かつ広い面積の緊急照明を提供でき、LED省エネランプに多機能性能を提供できる多機能緊急照明灯を提供することである。
【課題を解決するための手段】
【０００７】
上記課題を解決するため、本考案は下記の多機能緊急照明灯を提供する。
多機能緊急照明灯は、少なくとも１個のベース、少なくとも１個のLED発光モジュール、少なくとも１個の緊急照明LED発光モジュール、電源制御回路、少なくとも１個のバックアップ電源装置を備え、
該ベースは、散熱体で、
該LED発光モジュールと該緊急照明LED発光モジュールは、該ベース上に結合し、
該電源制御回路は、該ベースに結合し、しかも該電源制御回路は、該LED発光モジュール、該緊急照明LED発光モジュールに連結し、交流市内電源を直流電源に転換して、該バックアップ電源装置に充電用に供給し、該LED発光モジュールと該緊急照明LED発光モジュールの発光に必要な電源を提供し、
交流市内電源が供給を停止すると、該バックアップ電源装置は、該電源制御回路を通して該緊急照明LED発光モジュールに給電し、該緊急照明LED発光モジュールは緊急照明機能を発揮でき、平時と緊急の照明機能を兼ね備える照明灯を提供する。
【考案の効果】
【０００８】
本考案の多機能緊急照明灯は、LED発光モジュール、緊急照明LED発光モジュールと電源制御回路を連結することで、LED発光モジュール、緊急照明LED発光モジュールは、平時の照明機能を一緒に提供でき、さらにバックアップ電源装置を対応させ、これにより緊急照明LED発光モジュールは緊急照明機能を提供でき、照明資源を有効に利用でき、室内に効果的かつ広い面積の緊急照明を提供でき、LED省エネランプに多機能性能を提供することができる。
【図面の簡単な説明】
【０００９】
【図１】本考案多機能緊急照明灯第一実施例の立体外観構造図である。
【図２】図１の立体分解構造図である。
【図３】図１の後視図である。
【図４】本考案多機能緊急照明灯の電源制御回路の回路ブロックチャートである。
【図５】本考案多機能緊急照明灯第二実施例の表示図である。
【図６】本考案多機能緊急照明灯第三実施例の表示図である。
【図７】図６に示す実施例の回路ブロックチャートである。
【図８】本考案多機能緊急照明灯最低応用例の表示図である。
【考案を実施するための形態】
【００１０】
以下に図面を参照しながら本考案を実施するための最良の形態について詳細に説明する。
【００１１】
図１、２、３、４に示すように、本考案多機能緊急照明灯１００の第一実施例において、多機能緊急照明灯１００は、少なくとも１個のベース１０、少なくとも１個のLED発光モジュール２０、少なくとも１個の緊急照明LED発光モジュール３０、少なくとも１個の電源制御回路４０、バックアップ電源装置５０を備える。
【００１２】
ベース１０は、散熱体により構成する。
本考案第一実施例のベース１０の形状は、天井灯ベースを例とするが、これに限定するものではなく、ベース１０はあらゆる形状が可能である。
ベース１０の内面には、複数の凹槽１１を形成する。
各凹槽１１両端には、一対のネジ孔１１１をそれぞれ設置し、ベース１０背面には、市内電源コンセント１２を設置する(図３参照)。
市内電源コンセント１２は、電源ケーブル１３を通して連結し、交流市内電源２００を引き込む(図４参照)。
【００１３】
少なくとも１個のLED発光モジュール２０は、第一実施例中では、シングルダイマルチチップ封入LEDを例とする。
LED発光モジュール２０表面には、若干の穿孔２１を設置する。
各穿孔２１は、ベース１０の凹槽１１両端の各ネジ孔１１１に対応し、複数のボルト２２により螺合して連結し、これによりLED発光モジュール２０は、ベース１０の少なくとも１個の凹槽１１中に固定される。
こうして、ベース１０全体により、LED発光モジュール２０に固定と散熱の機能を提供する。
LED発光モジュール２０の個数に制限はなく、本考案第一実施例中では、３組のLED発光モジュール２０は、ベース１０の３個の凹槽１１にそれぞれ結合する。
【００１４】
少なくとも１個の緊急照明LED発光モジュール３０は、第一実施例中では、シングルダイマルチチップ封入LEDを例とする。
緊急照明LED発光モジュール３０表面には、若干の穿孔３１を設置する。
各穿孔３１は、ベース１０の凹槽１１両端の各ネジ孔１１１に対応し、複数のボルト３２により螺合して連結し、これにより緊急照明LED発光モジュール３０は、ベース１０の少なくとも１個の凹槽１１中に固定される。
こうして、ベース１０全体により、緊急照明LED発光モジュール３０に固定と散熱の機能を提供する。
緊急照明LED発光モジュール３０の個数に制限はなく、本考案第一実施例中では、１組の緊急照明LED発光モジュール３０は、ベース１０の１個の凹槽１１にそれぞれ結合する。
【００１５】
少なくとも１個の電源制御回路４０は、ベース１０内部に設置し、交流/直流電源転換、永久電源制御、LED発光モジュール２０及び緊急照明LED発光モジュール３０の点灯/消灯制御機能を提供する。
電源制御回路４０は、ベース１０の市内電源コンセント１２に連結し、交流市内電源２００を引き込み、交流市内電源２００を直流電源に転換する。
電源制御回路４０は、LED発光モジュール２０と緊急照明LED発光モジュール３０に連結し、LED発光モジュール２０と緊急照明LED発光モジュール３０が必要とする直流電源を提供する。
【００１６】
少なくとも１個のバックアップ電源装置５０は、その型式に制限はなく、本考案中では、充電電池を例とし、ベース１０内部に設置し、しかも電源制御回路４０に連結する。
平時に、交流市内電源２００が正常に給電作動している状態下では、バックアップ電源装置５０は、電源制御回路４０により、充電電源を提供され充電を行い、電源制御回路４０は、交流市内電源２００を探知する。
火災など事故により、電源が切断され、或いは給電が停止すると、バックアップ電源装置５０は、バックアップ直流電源を、電源制御回路４０に提供する。
これにより、電源制御回路４０は、緊急照明LED発光モジュール３０に、直流電源を提供し、緊急照明LED発光モジュール３０は、緊急照明の機能を発揮する。
【００１７】
図５に示すように、本考案多機能緊急照明灯１００の第二実施例では、LED発光モジュール２０と緊急照明LED発光モジュール３０は、シングルダイシングルチップ発光モジュールである。
LED発光モジュール２０は、少なくとも１個の回路基板２３、シングルダイシングルチップ発光ダイオード２４を備える。
【００１８】
回路基板２３両端には、複数の穿孔２３１を設置し、ベース１０の凹槽１１両端の各ネジ孔１１１に対応し、複数のボルト２３２により螺合して連結し、これにより回路基板２３は、ベース１０上に固定される。
回路基板２３表面には、発光ダイオード電源連結配線を敷設し、回路基板２３は、電源制御回路４０に連接し、電源制御回路４０は、直流電源を供給する。
各シングルダイシングルチップ発光ダイオード２４は、回路基板２３上に結合して固定し、各シングルダイシングルチップ発光ダイオード２４は、回路基板２３により、直流電源の供給を受け、発光する。
【００１９】
緊急照明LED発光モジュール３０は、回路基板３３、複数のシングルダイシングルチップ発光ダイオード３４を備える。
回路基板３３両端には、複数の穿孔３３１を設置し、ベース１０の凹槽１１両端の各ネジ孔１１１に対応し、複数のボルト３３２により螺合して連結し、これにより回路基板３３は、ベース１０上に固定される。
回路基板３３表面には、発光ダイオード電源連結配線を敷設し、回路基板３３は、電源制御回路４０に連接し、電源制御回路４０は、直流電源を供給する。
各シングルダイシングルチップ発光ダイオード３４は、回路基板３３上に結合して固定し、各シングルダイシングルチップ発光ダイオード３４は、回路基板３３により、直流電源の供給を受け、発光する。
【００２０】
図６、７に示すように、本考案多機能緊急照明灯１００の第三実施例では、電源制御回路４０は、少なくとも１個の一酸化炭素探知制御回路４１、ガス探知制御回路４２、煙探知制御回路４３、警報装置４４、警告表示信号装置４５に連結する。
一酸化炭素探知制御回路４１は、電源制御回路４０と一酸化炭素検知器４１１に連結する。
一酸化炭素検知器４１１は、ベース１０の外部に設置し、
外界環境中の一酸化炭素濃度を探知し、一酸化炭素探知信号４１１Aを発し、電源制御回路４０に送信する。
電源制御回路４０は、これを、緊急状態電源制御及び警報の依拠とする。
【００２１】
ガス探知制御回路４２は、電源制御回路４０、ガス検知器４２１に連接する。
ガス検知器４２１は、ベース１０の外部に設置し、外界環境中のガス濃度を探知し、ガス探知信号４２１Aを発し、電源制御回路４０に送信する。
電源制御回路４０は、これを、緊急状態電源制御及び警報の依拠とする。
【００２２】
煙探知制御回路４３は、電源制御回路４０、煙検知器４３１に連接する。
煙検知器４３１は、ベース１０の外部に設置し、外界環境中の煙の状態を探知し、煙探知信号４３１Aを発し、電源制御回路４０に送信する。
電源制御回路４０は、これを、緊急状態電源制御及び警報の依拠とする。
【００２３】
警報装置４４は、電源制御回路４０に連結し、電源制御回路４０が、一酸化炭素探知制御回路４１、ガス探知制御回路４２、或いは煙探知制御回路４３の内の１個の探知信号を受信すると、警告表示信号４４１を発し、警報装置４４を作動させる。
警報装置４４の型式に制限はなく、本考案中ではブザーを例とし、警報音声を発して、近くにいる人員に知らせる。
【００２４】
警告表示信号装置４５は、電源制御回路４０、少なくとも１個の消防警報システム４５１に連結する。
これにより、電源制御回路４０が、一酸化炭素探知制御回路４１、ガス探知制御回路４２、或いは煙探知制御回路４３の内の１個の探知信号を受信すると、警告表示信号４４１を発して警報装置４４を作動させ、近くにいる人員に知らせる他、さらに警告表示信号４４１を消防警報システム４５１にも同時に送る。
消防警報システム４５１は、ビル内のコントール室、管理室、各フロアの遠隔消防警報受信機で、関連警報情報を表示して、遠隔地の管理人員に知らせ、遠隔地の管理人員は、直ちに現場に赴き、災害或いは緊急事態の処理に協力する。
【００２５】
上記した一酸化炭素探知制御回路４１、一酸化炭素検知器４１１、ガス探知制御回路４２、ガス検知器４２１、煙探知制御回路４３、煙検知器４３１、警報装置４４、警告表示信号装置４５の作動電源は、平時に、交流市内電源２００により正常に供給される時には、電源制御回路４０を通してそれを得る。
しかし、交流市内電源２００が事故により切断され、或いは給電を停止しても、バックアップ電源装置５０を通して、電源制御回路４０は、引き続きバックアップ直流電源を供給することができる。
これにより、一酸化炭素探知制御回路４１、一酸化炭素検知器４１１、ガス探知制御回路４２、ガス検知器４２１、煙探知制御回路４３、煙検知器４３１、警報装置４４、警告表示信号装置４５などの災害探知回路、検知器、警報装置は、依然として正常な作動を維持することができる。
【００２６】
本考案の最適応用例を示す図８では、図７に示す第三実施例中の多機能緊急照明灯１００を、室内の天井３００に設置する。
平時には、各多機能緊急照明灯１００中のLED発光モジュール２０と緊急照明LED発光モジュール３０は、発光して室内に照明を提供する。
【００２７】
さらに、電源制御回路４０により連結する一酸化炭素探知制御回路４１の一酸化炭素検知器４１１、ガス探知制御回路４２のガス検知器４２１、煙探知制御回路４３の煙検知器４３１は、それぞれ室内の一酸化炭素、ガス、或いは煙の状態を探知し、一酸化炭素、ガス、或いは煙の状態の異常を検出すると、電源制御回路４０により、警報装置４４を制御し、警報を発する。
【００２８】
交流市内電源２００が事故により切断され、或いは給電を停止すると、電源制御回路４０は、バックアップ電源装置５０を通して、バックアップ電源を供給し、これにより緊急照明LED発光モジュール３０は、点灯した状態を維持することができる。
こうして、各多機能緊急照明灯１００中の緊急照明LED発光モジュール３０は一緒に、大きな面積の有効な緊急照明ガイドを提供でき、室内の人員は、スムーズに非難でき、或いは緊急事態に対応した処置を採ることができる。
【００２９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３１】
１００  多機能緊急照明灯
１０  ベース
１１  凹槽
１１１  ネジ孔  
１２  市内電源コンセント
１３  電源ケーブル
２０  LED発光モジュール
２１  穿孔
２２  ボルト
２３  回路基板
２３１  穿孔
２３２  ボルト
２４  シングルダイシングルチップ発光ダイオード
３０  緊急照明LED発光モジュール
３１  穿孔
３２  ボルト
３３  回路基板
３３１  穿孔
３３２  ボルト
３４  シングルダイシングルチップ発光ダイオード
４０  電源制御回路
４１  一酸化炭素探知制御回路
４１１  一酸化炭素検知器
４１１A  一酸化炭素探知信号
４２  ガス探知制御回路
４２１  ガス検知器
４２１A  ガス探知信号
４３  煙探知制御回路
４３１  煙検知器
４３１A  煙探知信号
４４  警報装置
４４１  警告表示信号
４５  警告表示信号装置
４５１  消防警報システム
５０  バックアップ電源装置
２００  交流市内電源  
３００  天井  
【図１】
0003166836.tif 000003
【図２】
0003166836.tif 000004
【図３】
0003166836.tif 000005
【図４】
0003166836.tif 000006
【図５】
0003166836.tif 000007
【図６】
0003166836.tif 000008
【図７】
0003166836.tif 000009
【図８】
0003166836.tif 000010